(57)【要約】【課題】表示モードの切替えに要する時間を短縮し、かつ切替え時の表示画面のちらつきを防止することができる表示装置を提供する。【解決手段】画像データを複数の解像度で表示可能な表示部１５を有する表示装置１００であって、画像データおよび表示画素数に関する画素数データを含む入力データを逐次格納する入力データ格納部１０と、入力データに画像データ以外のデータが含まれる期間に、表示画素数と前記画素数データと比較を行うための比較データとの比較を行い、解像度の変更が必要か否かを判定するデータ比較部１３と、データ比較部１３による判定の結果、解像度の変更が必要と判定された場合、表示部１５における解像度を第１の解像度から第２の解像度へ切替える表示制御部１４とを有し、表示部１５は、第２の解像度で画像データを表示する。【選択図】図１
2008076989.tif 000002
【特許請求の範囲】
【請求項１】
画像データを複数の解像度で表示可能な表示部を有する表示装置であって、
前記画像データおよび前記画像データの表示画素数に関する画素数データを含む入力データを逐次格納する入力データ格納部と、
前記入力データ格納部によって格納される入力データに前記画像データ以外のデータが含まれる期間に、前記表示画素数と前記画素数データと比較を行うための比較データとの比較を行い、前記解像度の変更が必要か否かを判定する解像度切替え判定部と、
前記解像度切替え判定部による判定の結果、前記解像度の変更が必要と判定された場合、前記表示部における前記解像度を第１の解像度から第２の解像度へ切替える表示制御部とを有し、
前記表示部は、
前記第２の解像度で前記画像データを表示する表示装置。
【請求項２】
請求項１に記載の表示装置であって、
前記画素数データと比較を行うための比較データを変更する値変更部を有する表示装置。
【請求項３】
請求項１または２に記載の表示装置であって、
前記入力データは前記解像度を前記第１の解像度から前記第２の解像度へ切替える解像度切替えデータを有し、
前記表示制御部は、
前記解像度切替え判定部による判定の結果、前記解像度の変更が必要と判定された場合、前記解像度切替えデータに基づいて、前記表示部における前記解像度を前記第１の解像度から前記第２の解像度へ切替える表示装置。
【請求項４】
請求項１ないし３のいずれか１項に記載の表示装置であって、
前記第１の解像度をＱＶＧＡ（Ｑｕａｒｔｅｒ  Ｖｉｄｅｏ  Ｇｒａｐｈｉｃ  Ａｒｒａｙ）とし、前記第２の解像度をＶＧＡ（Ｖｉｄｅｏ  Ｇｒａｐｈｉｃ  Ａｒｒａｙ）とする、もしくは、前記第１の解像度をＶＧＡとし、前記第２の解像度をＱＶＧＡとする表示装置。
【請求項５】
画像データを複数の解像度で表示可能な表示部を有する携帯電話装置であって、
前記画像データおよび前記画像データの表示画素数に関する画素数データを含む入力データを逐次格納する入力データ格納部と、
前記入力データ格納部によって格納される入力データに前記画像データ以外のデータが含まれる期間に、前記表示画素数と前記画素数データと比較を行うための比較データとの比較を行い、前記解像度の変更が必要か否かを判定する解像度切替え判定部と、
前記解像度切替え判定部による判定の結果、前記解像度の変更が必要と判定された場合、前記表示部における前記解像度を第１の解像度から第２の解像度へ切替える表示制御部とを有し、
前記表示部は、
前記第２の解像度で前記画像データを表示する携帯電話装置。
【請求項６】
画像データを複数の解像度で表示可能な表示部を有する情報端末装置であって、
前記画像データおよび前記画像データの表示画素数に関する画素数データを含む入力データを逐次格納する入力データ格納部と、
前記入力データ格納部によって格納される入力データに前記画像データ以外のデータが含まれる期間に、前記表示画素数と前記画素数データと比較を行うための比較データとの比較を行い、前記解像度の変更が必要か否かを判定する解像度切替え判定部と、
前記解像度切替え判定部による判定の結果、前記解像度の変更が必要と判定された場合、前記表示部における前記解像度を第１の解像度から第２の解像度へ切替える表示制御部とを有し、
前記表示部は、
前記第２の解像度で前記画像データを表示する情報端末装置。
【請求項７】
画像データを複数の解像度で表示可能な表示ステップを有する表示方法であって、
前記画像データおよび前記画像データの表示画素数に関する画素数データを含む入力データが逐次格納される入力データ格納ステップと、
前記入力データ格納ステップにおいて格納される入力データに前記画像データ以外のデータが含まれる期間に、前記表示画素数と前記画素数データと比較を行うための比較データとの比較が行われ、前記解像度の変更が必要か否かが判定される解像度切替え判定ステップと、
前記解像度切替え判定ステップにおける判定の結果、前記解像度の変更が必要と判定された場合、前記表示部における前記解像度が第１の解像度から第２の解像度へ切替えられるステップと
を有し、
前記表示ステップにおいては、
前記第２の解像度で前記画像データが表示される表示方法。
【発明の詳細な説明】
【技術分野】
【０００１】
本発明は、例えば携帯電話に用いられる表示装置および表示方法、ならびに携帯電話装置、情報端末装置に関するものである。
【背景技術】
【０００２】
近年、携帯電話に用いられる表示装置において、表示パネルなどの表示部に出力させる表示画素数を適宜変更し、各自の都合によって適宜画素数の変更を行うことができるようになっている。例えば、自動的に表示画素数を判定できるような仕組みを有していない表示装置（例えばパーソナルコンピュータ（ＰＣ）や電子手帳（ＰＤＡ）等）では、手動で表示の切替えを行わなければならないため、切替えに手間がかかっていた。
【０００３】
そこで、手動ではなく自動的に表示切替を行う装置として、水平同期信号および垂直同期信号を有する映像入力信号に基づいて、垂直同期信号を検出した時点から水平同期信号に含まれるパルス数をカウントし、カウントが所定値に達した時点での垂直同期信号の極性によって表示解像度を決定する固定画素表示装置が知られている（例えば、特許文献１参照）。
【特許文献１】特開平９−２８１９２６号公報
【発明の開示】
【発明が解決しようとする課題】
【０００４】
しかしながら、高精細な表示素子を有する機器では、例えばＱＶＧＡ（Ｑｕａｒｔｅｒ  Ｖｉｄｅｏ  Ｇｒａｐｈｉｃ  Ａｒｒａｙ）からＶＧＡ（Ｖｉｄｅｏ  Ｇｒａｐｈｉｃ  Ａｒｒａｙ）あるいはＶＧＡからＱＶＧＡにコンテンツを切り替えようとすると一瞬表示画面全面に白が表示されるなど画面のちらつきが生じるという事情があった。また、カウンタを用いてパルス数をカウントしなければならず、処理に時間を要してしまうという事情があった。
【０００５】
本発明は、上記事情を鑑みてなされたものであって、表示モードの切替えに要する時間を短縮し、かつ切替え時の表示画面のちらつきを防止することができる表示装置、携帯電話端末、情報端末装置および表示方法を提供することを目的とする。
【課題を解決するための手段】
【０００６】
上記目的を達成するために、本発明の第１の表示装置は、画像データを複数の解像度で表示可能な表示部を有する表示装置であって、前記画像データおよび前記画像データの表示画素数に関する画素数データを含む入力データを逐次格納する入力データ格納部と、前記入力データ格納部によって格納される入力データに前記画像データ以外のデータが含まれる期間に、前記表示画素数と前記画素数データと比較を行うための比較データとの比較を行い、前記解像度の変更が必要か否かを判定する解像度切替え判定部と、前記解像度切替え判定部による判定の結果、前記解像度の変更が必要と判定された場合、前記表示部における前記解像度を第１の解像度から第２の解像度へ切替える表示制御部とを有し、前記表示部は、前記第２の解像度で前記画像データを表示する構成としている。
【０００７】
この構成により、表示モードの切替えに要する時間を短縮し、かつ切替え時の表示画面のちらつきを防止することができる。
【０００８】
また、本発明の第２の表示装置は、前記画素数データと比較を行うための比較データを変更する値変更部を有する構成としている。
【０００９】
この構成により、解像度を変更する条件を変更することが可能となる。
【００１０】
また、本発明の第３の表示装置は、前記入力データは前記解像度を前記第１の解像度から前記第２の解像度へ切替える解像度切替えデータを有し、前記表示制御部は、前記解像度切替え判定部による判定の結果、前記解像度の変更が必要と判定された場合、前記解像度切替えデータに基づいて、前記表示部における前記解像度を前記第１の解像度から前記第２の解像度へ切替える構成としている。
【００１１】
この構成により、入力データに含まれる表示切替のためのデータを利用することで、表示モードの切替えに要する時間を短縮し、かつ切替え時の表示画面のちらつきを防止することができる。
【００１２】
また、本発明の第４の表示装置は、前記第１の解像度をＱＶＧＡ（Ｑｕａｒｔｅｒ  Ｖｉｄｅｏ  Ｇｒａｐｈｉｃ  Ａｒｒａｙ）とし、前記第２の解像度をＶＧＡ（Ｖｉｄｅｏ  Ｇｒａｐｈｉｃ  Ａｒｒａｙ）とする、もしくは、前記第１の解像度をＶＧＡとし、前記第２の解像度をＱＶＧＡとする構成としている。
【００１３】
この構成により、表示モードをＱＶＧＡからＶＧＡへ、ＶＧＡからＱＶＧＡへのいずれの切替えにおいても、表示モードの切替えに要する時間を短縮し、かつ切替え時の表示画面のちらつきを防止することができる。
【００１４】
また、本発明の第１の携帯電話装置は、画像データを複数の解像度で表示可能な表示部を有する携帯電話装置であって、前記画像データおよび前記画像データの表示画素数に関する画素数データを含む入力データを逐次格納する入力データ格納部と、前記入力データ格納部によって格納される入力データに前記画像データ以外のデータが含まれる期間に、前記表示画素数と前記画素数データと比較を行うための比較データとの比較を行い、前記解像度の変更が必要か否かを判定する解像度切替え判定部と、前記解像度切替え判定部による判定の結果、前記解像度の変更が必要と判定された場合、前記表示部における前記解像度を第１の解像度から第２の解像度へ切替える表示制御部とを有し、前記表示部は、前記第２の解像度で前記画像データを表示する構成としている。
【００１５】
この構成により、表示モードの切替えに要する時間を短縮し、かつ切替え時の表示画面のちらつきを防止することができる。
【００１６】
また、本発明の第１の情報端末装置は、画像データを複数の解像度で表示可能な表示部を有する情報端末装置であって、前記画像データおよび前記画像データの表示画素数に関する画素数データを含む入力データを逐次格納する入力データ格納部と、前記入力データ格納部によって格納される入力データに前記画像データ以外のデータが含まれる期間に、前記表示画素数と前記画素数データと比較を行うための比較データとの比較を行い、前記解像度の変更が必要か否かを判定する解像度切替え判定部と、前記解像度切替え判定部による判定の結果、前記解像度の変更が必要と判定された場合、前記表示部における前記解像度を第１の解像度から第２の解像度へ切替える表示制御部とを有し、前記表示部は、前記第２の解像度で前記画像データを表示する構成としている。
【００１７】
この構成により、表示モードの切替えに要する時間を短縮し、かつ切替え時の表示画面のちらつきを防止することができる。
【００１８】
また、本発明の第１の表示方法は、画像データを複数の解像度で表示可能な表示ステップを有する表示方法であって、前記画像データおよび前記画像データの表示画素数に関する画素数データを含む入力データが逐次格納される入力データ格納ステップと、前記入力データ格納ステップにおいて格納される入力データに前記画像データ以外のデータが含まれる期間に、前記表示画素数と前記画素数データと比較を行うための比較データとの比較が行われ、前記解像度の変更が必要か否かが判定される解像度切替え判定ステップと、前記解像度切替え判定ステップにおける判定の結果、前記解像度の変更が必要と判定された場合、前記表示部における前記解像度が第１の解像度から第２の解像度へ切替えられるステップとを有し、前記表示ステップにおいては、前記第２の解像度で前記画像データが表示される方法としている。
【００１９】
この方法により、表示モードの切替えに要する時間を短縮し、かつ切替え時の表示画面のちらつきを防止することができる。
【発明の効果】
【００２０】
本発明により、表示モードの切替えに要する時間を短縮し、かつ切替え時の表示画面のちらつきを防止することができる。また、ＶＧＡからＱＶＧＡあるいはＱＶＧＡからＶＧＡのような表示モードの切替えを行う際に素早くかつ違和感無く表示の切替えを行うことが可能となり、既存のコンテンツをそのまま流用することもできる。
【発明を実施するための最良の形態】
【００２１】
以下、本発明の実施形態について図面を参照しながら説明する。
【００２２】
（実施形態）
図１は本発明の第１の実施形態における表示装置１００のブロック図である。表示装置１００は、入力データ格納部１０、比較データ格納部１１、制御信号生成部１２、データ比較部１３、表示制御部１４、表示部１５を有する。ここで、データ比較部１３は解像度切替え判定部の一例である。
【００２３】
入力データ格納部１０は、図示しないクロック生成部によって生成されたクロック１０２の所定のタイミングに基づいて、入力される入力データ１０１を格納する。入力データ１０１には、表示用データ（ＲＧＢデータ）、表示用データの表示を行う際の表示画素数に関する画素数データ、表示部１５による表示画素数を変更する表示切替えデータ１０５などが含まれている。
【００２４】
比較データ格納部１１は、入力データ１０１に含まれる画素数データと比較するための比較データをあらかじめ格納しておく。比較データとしては、任意のデータを想定している。例えば、ＲＧＢデータが１８ｂｉｔ分あるとすると、その全てが「０」のデータであっても全て「１」のデータであっても構わない。また、例えば「１、０、１、０、・・・」であっても、「０、１、０、１、・・・」のデータであっても構わない。ただし、そのデータは送り側（ここでは、ＣＰＵを想定している）と受け側（ここでは、表示デバイスを想定している）にて一致する必要があり、その比較を行うのはデータ比較部１３である。送り側と受け側とで一致する場合のみ、ＱＶＧＡからＶＧＡへ、もしくはＶＧＡからＱＶＧＡへの切替が行われる。また、任意のデータを想定しているので、所定の閾値であっても構わない。
【００２５】
制御信号生成部１２は、垂直同期信号（ＶＳＹＮＣ）１０３および水平同期信号（ＨＳＹＮＣ）１０４を入力し、どのタイミングで画素数データと比較データとの比較を行うかを決定するタイミング窓の生成を行う。このタイミング窓は水平帰線期間かつ垂直帰線期間である期間を示しており、後述の図２には、一例として垂直同期信号１０３および水平同期信号１０４がともにＬＯＷレベルであるブランク期間を示している。
【００２６】
ここで、垂直同期信号１０３の信号レベルは、垂直帰線期間においては信号レベルがＬＯＷレベルであり、垂直帰線期間以外においては信号レベルがＨＩＧＨレベルである。同様に水平同期信号１０４の信号レベルは、水平帰線期間においては信号レベルがＬＯＷレベルであり、水平帰線期間以外においては信号レベルがＨＩＧＨレベルである。
【００２７】
データ比較部１３は、表示部１５で表示する表示モード（例えばＶＧＡ、ＱＶＧＡなど）を判定するために、タイミング窓に基づいて、画素数データと比較データとの比較を行う。例えば、比較データとして表示画素数に関する所定の閾値を用いる場合、表示用データの表示画素数がこの閾値以上であればＶＧＡを利用して表示し、表示用データの表示画素数がこの閾値未満であればＱＶＧＡを利用して表示することになるが、現在の表示モードと今回の入力データ１０１に基づく表示モードが異なる場合には、データ比較部１３は表示制御部１４に対して表示切替えデータ１０５を送出するように入力データ格納部１０へ指示する。具体的には、現在の表示モードがＶＧＡであり、比較結果によって表示用データの表示モードがＱＶＧＡである場合、または現在の表示モードがＱＶＧＡであり、表示制御信号による指示は表示モードがＶＧＡである場合には表示切替えデータ１０５が送出される。データ比較部１３は、上記のように比較データによって表示モードの判定を行っていることから、表示モード判定部であるともいえる。
【００２８】
表示制御部１４は、データ比較部１３による比較結果に基づいて、表示部１５の制御を行う。つまり、表示制御部１４が表示切替えデータ１０５を受信しなかった場合には現在の表示モードによって表示部１５が表示用データを表示するように制御する。一方、表示制御部１４は、表示切替えデータ１０５を受信した場合には現在の表示モードを切替えて表示部１５が表示用データを表示するように制御する。
【００２９】
表示部１５は、表示制御部１４によって指定された表示モード（例えば、ＶＧＡ、ＱＶＧＡなど）に対応する解像度にて表示用データの表示を行う。表示部１５としては、例えば液晶パネルなどが考えられる。
【００３０】
次に、表示モードを切り替える場合について詳細に説明する。本実施形態においては、一例として表示モードをＱＶＧＡからＶＧＡへ切り替える場合、ＶＧＡからＱＶＧＡへ切り替える場合について説明する。
図２は本発明の実施形態における表示モードをＱＶＧＡからＶＧＡへ切り替える場合の信号タイミングを示した図である。
【００３１】
垂直同期信号１０３および水平同期信号１０４に基づくブランク期間２０３において、データ比較部１３が表示モードをＱＶＧＡからＶＧＡへ変更する必要があると判定した場合、ブランク期間中に表示モードをＱＶＧＡからＶＧＡへ変更する表示切替えデータ１０５が入力データ格納部１０から送出される。
【００３２】
また表示切替えデータ１０５が送出されるのと同じタイミングで、制御信号生成部１２は図示しないクロック１０２を制御するためのクロック制御データを生成し、図示しないクロック生成部へ送出する。ブランク期間２０３が終了して水平同期信号１０４がＨＩＧＨレベルとなる際に、クロック生成部はＱＶＧＡからＶＧＡへと表示モードの解像度がより高くなることにあわせてクロック周波数を高くする。
【００３３】
また、データ１０１には表示切替えデータ１０５や表示用データなどが含まれている。ブランク期間中には表示切替えデータ１０５が、ブランク期間２０３が終了し水平同期信号１０４がＨＩＧＨレベルとなったら表示用データの第１ピクセル（ｐｉｘｅｌ）２０１から最終ピクセル（ｐｉｘｅｌ）２０２までの画素データが入力データ格納部１０から表示制御部１４へ送出される。尚、表示用データの最終ピクセルまで送出された後は、データ１０１は有効なデータを含んでおらず、無効データとなる。
【００３４】
また、図３は本発明の実施形態における表示モードをＶＧＡからＱＶＧＡへ切り替える場合の信号タイミングを示した図である。
【００３５】
垂直同期信号１０３および水平同期信号１０４に基づくブランク期間３０３において、データ比較部１３が表示モードをＶＧＡからＱＶＧＡへ変更する必要があると判定した場合、ブランク期間中に表示モードをＶＧＡからＱＶＧＡへ変更する表示切替えデータ１０５が入力データ格納部１０から送出される。
【００３６】
また表示切替えデータ１０５が送出されるのと同じタイミングで、制御信号生成部１２は図示しないクロック１０２を制御するためのクロック制御データを生成し、図示しないクロック生成部へ送出する。ブランク期間３０３が終了して水平同期信号１０４がＨＩＧＨレベルとなる際に、クロック生成部はＶＧＡからＱＶＧＡへと表示モードの解像度がより低くなることにあわせてクロック周波数を低くする。
【００３７】
また、データ１０１には表示切替えデータ１０５や表示用データなどが含まれている。ブランク期間中には表示切替えデータ１０５が、ブランク期間３０３が終了し水平同期信号１０４がＨＩＧＨレベルとなったら表示用データの第１ピクセル（ｐｉｘｅｌ）３０１から最終ピクセル（ｐｉｘｅｌ）３０２までの画素データが入力データ格納部１０から表示制御部１４へ送出される。尚、表示用データの最終ピクセルまで送出された後は、データ１０１は有効なデータを含んでおらず、無効データとなる。
【００３８】
次に、表示用データの表示部１５への表示について説明する。図４は本発明の実施形態における表示部１５の表示例および表示タイミングを示す図である。
【００３９】
まず、表示タイミングとしては、例えば垂直同期信号１０３および水平同期信号１０４がともにＨｉｇｈレベルである場合に、表示部１５は表示制御部１４から送られてくる表示用データ６０１の表示を行う。尚、ここでは垂直同期信号１０３および水平同期信号１０４がともにＬＯＷレベルである期間をブランク期間６０４としている。
【００４０】
また、有効表示エリア６０２は有効データ、つまり上記の表示用データ６０１の表示を行う際の表示エリアを示しており、無効表示エリア６０３は無効データ、つまりブランク期間中の表示用データ６０１が含まれていないデータの表示を行う際の表示エリアを示している。無効表示エリア６０３は有効表示エリア６０２よりも表示領域が大きい。
【００４１】
実際に表示部１５に表示する場合、例えばＱＶＧＡの２４０ドット×３２０ドットを表示するときには、バックポーチ、フロントポーチと呼ばれる余分なクロックも表示部１５に送られる。その際には、表示用データ６０１は送られない。バックポーチ、フロントポーチは水平方向、垂直方向ともに存在しており、これが無効表示エリア６０３となる。
【００４２】
このような本発明の実施形態における表示装置１００によれば、画像データを複数の解像度で表示可能な表示部１５を有する表示装置１００であって、画像データおよび画像データの表示画素数に関する画素数データを含む入力データを逐次格納する入力データ格納部１０と、入力データ格納部１０によって格納される入力データに画像データ以外のデータが含まれる期間に、表示画素数と前記画素数データと比較を行うための比較データとの比較を行い、解像度の変更が必要か否かを判定するデータ比較部１３と、データ比較部１３による判定の結果、解像度の変更が必要と判定された場合、表示部１５における解像度を第１の解像度から第２の解像度へ切替える表示制御部１４とを有し、表示部１５は、第２の解像度で画像データを表示する構成とすることで、表示画素数を変更する表示モードの切替えに要する時間を短縮し、かつ切替え時の表示画面のちらつきを防止することができる。
【００４３】
また、例えば液晶表示装置を有する携帯電話において、表示パネルの画素数よりも少ない画素数で構成されたゲーム等のコンテンツを手間無く、かつ違和感無く表示することができる。
【産業上の利用可能性】
【００４４】
本発明にかかる表示装置では、表示モードの切替えに要する時間を短縮し、かつ切替え時の表示画質の劣化を防止することができる表示装置、携帯電話端末、情報端末装置等に有用である。
【図面の簡単な説明】
【００４５】
【図１】本発明の実施形態における表示装置の構成を示すブロック図
【図２】本発明の実施形態における表示装置の信号タイミング図（ＱＶＧＡからＶＧＡ）
【図３】本発明の実施形態における表示装置の信号タイミング図（ＶＧＡからＱＶＧＡ）
【図４】本発明の実施形態における表示部の表示例および表示タイミングを示す図
【符号の説明】
【００４６】
１００  表示装置
１０  入力データ格納部
１１  比較データ格納部
１２  制御信号生成部
１３  データ比較部（表示モード判定部）
１４  表示制御部
１５  表示部
１０１  入力データ（ＲＧＢ）
１０２  クロック
１０３  垂直同期信号（ＶＳＹＮＣ）
１０４  水平同期信号（ＨＳＹＮＣ）
１０５  表示切替えデータ
２０１  第１ピクセル
２０２  最終ピクセル
２０３  ブランク期間
３０１  第１ピクセル
３０２  最終ピクセル
３０３  ブランク期間
６０１  表示用データ
６０２  有効表示エリア
６０３  無効表示エリア
６０４  ブランク期間
【図１】
2008076989.tif 000003
【図２】
2008076989.tif 000004
【図３】
2008076989.tif 000005
【図４】
2008076989.tif 000006